【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
トナーを収納する収納部と、
情報を記憶する記憶素子と、
前記収納部に前記記憶素子を取り付けるための取付部と
を備え、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記貫通口および前記挿入口にこの順に挿入された挿入部材と
を含む、トナー収納器。
【請求項２】
前記貫通口は、
前記挿入口から遠い側に配置されると共に、前記挿入口に近づくにしたがって内径が次第に減少する内径減少部と、
前記挿入口に近い側に配置されると共に、前記内径が一定である内径一定部と
を含む、請求項１記載のトナー収納器。
【請求項３】
前記貫通口に近い側における前記挿入部材の端部は、前記内径一定部の内部に位置している、
請求項２記載のトナー収納器。
【請求項４】
前記挿入部材は、一端から順に、
外径が次第に増加する外径増加部と、
前記外径が一定である外径一定部と
を含む、請求項１ないし請求項３のいずれか１項に記載のトナー収納器。
【請求項５】
前記挿入口は、貫通口であり、
前記挿入口に近い側における前記挿入部材の端部は、前記挿入口の外部に位置している、
請求項１ないし請求項４のいずれか１項に記載のトナー収納器。
【請求項６】
前記外径増加部は、前記挿入口の外部に位置している、
請求項５記載のトナー収納器。
【請求項７】
前記挿入部材は、外力に応じて収縮変形可能であり、
前記挿入部材の外径は、全体的に、前記挿入口および前記貫通口のそれぞれの内径よりも大きいか、
または、前記挿入部材の外径は、部分的に、前記挿入口および前記貫通口のそれぞれの内径よりも大きい、
請求項１ないし請求項６のいずれか１項に記載のトナー収納器。
【請求項８】
前記蓋部材は、さらに、前記第１方向に延在する第２突起部を有し、
前記支持部材は、さらに、前記第１方向に延在すると共に前記第２突起部が挿入された第２窪み部を有する、
請求項１ないし請求項７のいずれか１項に記載のトナー収納器。
【請求項９】
前記記憶素子は、前記第１窪み部と前記第２窪み部との間に配置されている、
請求項８記載のトナー収納器。
【請求項１０】
前記支持部材は、さらに、前記記憶素子が配置される領域以外の領域に配置された１または２以上の第３突起部を有する、
請求項１ないし請求項９のいずれか１項に記載のトナー収納器。
【請求項１１】
前記支持部材は、２つの前記第３突起部を含み、
前記記憶素子は、前記２つの第３突起部の間に配置されている、
請求項１０記載のトナー収納器。
【請求項１２】
前記蓋部材は、さらに、前記記憶素子を被覆すると共に前記第１突起部が連結された蓋部を有し、
前記第１突起部に近い側における前記蓋部の厚さは、前記第１突起部から遠い側における前記蓋部の厚さよりも小さい、
請求項１ないし請求項１１のいずれか１項に記載のトナー収納器。
【請求項１３】
前記支持部材は、さらに、前記蓋部材に沿うように設けられた１または２以上の壁部を有する、
請求項１ないし請求項１２のいずれか１項に記載のトナー収納器。
【請求項１４】
前記壁部は、
前記蓋部材の外壁面に沿うように配置された第１壁部と、
前記蓋部剤の内壁面に沿うように配置された第２壁部と
を含む、請求項１３記載のトナー収納器。
【請求項１５】
前記蓋部材は、前記第１方向において前記記憶素子を部分的に露出させるための第１開口部を有する、
請求項１ないし請求項１４のいずれか１項に記載のトナー収納器。
【請求項１６】
前記支持部材は、さらに、前記記憶素子が配置される領域と重なる領域に設けられた１または２以上の第４突起部を有する、
請求項１５記載のトナー収納器。
【請求項１７】
前記蓋部材は、前記第２方向において前記第４突起部と重なる位置に第２開口部を有する、
請求項１６記載のトナー収納器。
【請求項１８】
前記支持部材は、さらに、前記蓋部材に沿うように設けられた１または２以上の壁部を有し、
前記１または２以上の壁部は、前記第２方向において前記第４突起部と重なる位置に第３開口部を有する、
請求項１６または請求項１７に記載のトナー収納器。
【請求項１９】
前記挿入口の内径は、前記貫通口の内径および前記挿入部材の外径のそれぞれよりも大きい、
請求項１ないし請求項１８のいずれか１項に記載のトナー収納器。
【請求項２０】
前記蓋部材は、さらに、前記第２方向に延在する旋回軸を有すると共に、前記記憶素子を被覆すると共に前記第１突起部が前記第１窪み部に挿入されるように前記旋回軸を中心
として旋回されている、
請求項１ないし請求項７のいずれか１項に記載のトナー収納器。
【請求項２１】
前記第２方向における前記第１窪み部の寸法は、前記第２方向における前記第１突起部の寸法よりも大きく
前記蓋部材は、前記第１突起部が前記第１窪み部に挿入された状態において、前記第２方向に移動している、
請求項２０記載のトナー収納器。
【請求項２２】
前記挿入口は、非貫通口である、
請求項２１記載のトナー収納器。
【請求項２３】
前記蓋部材は、さらに、前記第２方向に延在する１または２以上の第５突起部を有し、
前記支持部材は、前記１または２以上の第５突起部が挿入された１または２以上の第４開口部を有する、
請求項２１または請求項２２に記載のトナー収納器。
【請求項２４】
前記第２方向における前記挿入部材の寸法は、前記第２方向における前記挿入口の寸法と前記第２方向における前記貫通口の寸法との和以下である、
請求項２０ないし請求項２３のいずれか１項に記載のトナー収納器。
【請求項２５】
前記蓋部材は、さらに、
前記旋回軸が連結された延設部と、
前記記憶素子を被覆すると共に前記第１突起部および前記延設部が連結された蓋部と
を有し、
前記記憶素子から遠ざかる方向に前記蓋部を持ち上げる力に応じて、前記延設部が前記蓋部から分離可能である、
請求項２０ないし請求項２４のいずれか１項に記載のトナー収納器。
【請求項２６】
前記蓋部材は、前記第１突起部と前記蓋部とが互いに連結された位置に、前記第２方向に延在する切り込みを有し、
前記記憶素子から遠ざかる方向に前記蓋部を持ち上げる力に応じて、前記切り込みが設けられている位置において前記蓋部材が屈曲可能である、
請求項２５記載のトナー収納器。
【請求項２７】
トナーを収納するトナー収納部と、
潜像を形成すると共に前記潜像に前記トナーを付着させる現像処理部と
を備え、
前記トナー収納部よび前記現像処理部のうちの少なくとも一方は、
情報を記憶する記憶素子と、
前記記憶素子を取り付けるための取付部と
を含み、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記貫通口および前記挿入口にこの順に挿入された挿入部材と
を含む、画像形成ユニット。
【請求項２８】
トナーを収納するトナー収納部と、潜像を形成すると共に前記潜像にトナーを付着させる現像処理部とを含む現像部と、
前記潜像に付着された前記トナーを媒体に転写させる転写部と、
前記媒体に転写された前記トナーを前記媒体に定着させる定着部と
を備え、
前記トナー収納部よび前記現像処理部のうちの少なくとも一方は、
情報を記憶する記憶素子と、
前記記憶素子を取り付けるための取付部と
を含み、
前記取付部は、
第１方向に延在する第１突起部と、前記第１突起部に設けられると共に前記第１方向と交差する第２方向に延在する挿入口とを有する蓋部材と、
前記第１方向に延在すると共に前記第１突起部が挿入された第１窪み部と、前記第２方向に延在すると共に前記第１窪み部に連通された貫通口とを有する支持部材と、
前記貫通口および前記挿入口にこの順に挿入された挿入部材と
を含む、画像形成装置。
【手続補正２】
【補正対象書類名】明細書
【補正対象項目名】０００９
【補正方法】変更
【補正の内容】
【０００９】
本発明の一実施形態のトナー収納器は、トナーを収納する収納部と、情報を記憶する記憶素子と、収納部に記憶素子を取り付けるための取付部とを備えたものである。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部とその第２方向に延在すると共に第１窪み部に連通された貫通口とを有する支持部材と、貫通口および挿入口にこの順に挿入された挿入部材とを含む。
【手続補正３】
【補正対象書類名】明細書
【補正対象項目名】００１０
【補正方法】変更
【補正の内容】
【００１０】
本発明の一実施形態の画像形成ユニットは、トナーを収納するトナー収納部と、潜像を形成すると共にその潜像にトナーを付着させる現像処理部とを備えたものである。トナー収納部よび現像処理部のうちの少なくとも一方は、情報を記憶する記憶素子と、その記憶素子を取り付けるための取付部とを含む。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部とその第２方向に延在すると共に第１窪み部に連通された貫通口とを有する支持部材と、貫通口および挿入口にこの順に挿入された挿入部材とを含む。
【手続補正４】
【補正対象書類名】明細書
【補正対象項目名】００１１
【補正方法】変更
【補正の内容】
【００１１】
本発明の一実施形態の画像形成装置は、トナーを収納するトナー収納部と、潜像を形成すると共にその潜像にトナーを付着させる現像処理部とを含む現像部と、潜像に付着されたトナーを媒体に転写させる転写部と、媒体に転写されたトナーをその媒体に定着させる定着部とを備えたものである。トナー収納部よび現像処理部のうちの少なくとも一方は、情報を記憶する記憶素子と、その記憶素子を取り付けるための取付部とを含む。この取付部は、第１方向に延在する第１突起部とその第１突起部に設けられると共に第１方向と交差する第２方向に延在する挿入口とを有する蓋部材と、第１方向に延在すると共に第１突起部が挿入された第１窪み部と第２方向に延在すると共に第１窪み部に連通された貫通口とを有する支持部材と、貫通口および挿入口にこの順に挿入された挿入部材とを含む。
【手続補正５】
【補正対象書類名】明細書
【補正対象項目名】００１２
【補正方法】変更
【補正の内容】
【００１２】
本発明の一実施形態のトナー収納器、画像形成ユニットまたは画像形成装置によれば、取付部では、蓋部材の第１突起部が支持部材の第１窪み部に挿入されていると共に、その支持部材に設けられた貫通口および蓋部材に設けられた挿入口にこの順に挿入部材が挿入されている。よって、記憶素子の脱落を防止することができる。